(57)【要約】【課題】  スポーツタオルを人体に巻き付けた時に、スポーツタオルと人体の一部との間に所定の空間を確保することができるストッパー付きスポーツタオルを提供する。【解決手段】  ポリビニルアルコール樹脂からなる長尺なスポーツタオル２と、弾性を備えたストッパー部材３とを有し、スポーツタオル２は水分を吸収すると軟化し、水分を蒸発させると硬化する機能を有するものであって、スポーツタオル２が軟化している状態で環状を形成し、この環状内に人体の一部４が挿入されている場合に、ストッパー部材３は、スポーツタオル２と人体の一部４との間に、所定の空間５を有するように設置される。【選択図】図１
0003169428.tif 000002
【実用新案登録請求の範囲】
【請求項１】
ポリビニルアルコール樹脂からなる長尺なスポーツタオルと、弾性を備えたストッパー部材とを有し、前記スポーツタオルは水分を吸収すると軟化し、水分を蒸発させると硬化する機能を有するものであって、前記スポーツタオルが軟化している状態で環状を形成し、該環状内に人体の一部が挿入されている場合に、前記ストッパー部材は、前記スポーツタオルと前記人体の一部との間に、所定の空間を有するように設置され、前記スポーツタオルが硬化した状態で、前記ストッパー部材によって、前記所定の空間が維持されることを特徴とするストッパー付きスポーツタオル。
【請求項２】
ストッパー部材は、弾性を備えた環状のストッパー部材であって、スポーツタオルの両端部を、前記環状のストッパー部材の環状内に挿入して使用することを特徴とする請求項１に記載のストッパー付きスポーツタオル。
【請求項３】
スポーツタオルとストッパー部材とは、紐状部材によって連結されていることを特徴とする請求項２に記載のストッパー付きスポーツタオル。
【請求項４】
ストッパー部材は、変形自在な棒状のストッパー部材であって、該棒状のストッパー部材は、スポーツタオルの長手方向に沿って装着されることを特徴とする請求項１に記載のストッパー付きスポーツタオル。
【請求項５】
スポーツタオルの両端部近傍に、面ファスナーを備えたことを特徴とする請求項１〜４のいずれか１項に記載のストッパー付きスポーツタオル。
【請求項６】
請求項１〜請求項５のいずれか１項に記載のストッパー付きスポーツタオルを収容するケースであって、前記スポーツタオルを収容する収容部と、開口部と、該開口部を塞ぐキャップ部とを有し、前記開口部に溝が形成され、該溝に嵌合する突起が前記キャップ部に形成されて、前記スポーツタオルに含まれる水分が蒸発することを防ぐことを特徴とするストッパー付きスポーツタオル収容ケース。
【考案の詳細な説明】
【技術分野】
【０００１】
本考案は、スポーツや、スポーツの観戦や、屋外でのレジャーにおける熱中症対策などに使用するスポーツタオルであって、特にストッパー付きのスポーツタオルと、このストッパー付きスポーツタオルを収容するケースに関するものである。
【背景技術】
【０００２】
従来から、長方形状をした布地のスポーツタオルにおいて、長手方向の一方の端部近傍に他方の端部を挿入する差し込み部を設けたものが知られている（特許文献１参照）。このスポーツタオルの差し込み部は、首に巻き付けてスポーツ等を行っている時に、スポーツタオルが首からズレ落ちないようにするためのものであった。
【０００３】
また、ポリビニルアルコール樹脂を用いたタオルも知られているが（特許文献２参照）、このタオルは、水分を吸収すると軟化し、水分が蒸発すると硬化するという特性を有しており、このタオルを使用者が首にピッタリと巻き付けた状態で水分が蒸発し、硬化すると、首を締め過ぎる恐れがあることから、使用上の注意として、タオルを首に巻き付けた時に締め過ぎないように注意喚起する必要があった。
【先行技術文献】
【特許文献】
【０００４】
【特許文献１】実開昭６０−５８０９５号公報
【特許文献２】実開平０３−４２２９５号公報
【考案の概要】
【考案が解決しようとする課題】
【０００５】
そこで、本考案は、ポリビニルアルコール樹脂からなる長尺なスポーツタオルを人体に巻き付けた時に、スポーツタオルと人体の一部との間に所定の空間を確保することができるストッパー付きスポーツタオルと、このストッパー付きスポーツタオルを収容するケースを提供することを目的とする。
【課題を解決するための手段】
【０００６】
上記課題を解決するため、請求項１に記載の考案は、ポリビニルアルコール樹脂からなる長尺なスポーツタオルと、弾性を備えたストッパー部材とを有し、前記スポーツタオルは水分を吸収すると軟化し、水分を蒸発させると硬化する機能を有するものであって、前記スポーツタオルが軟化している状態で環状を形成し、該環状内に人体の一部が挿入されている場合に、前記ストッパー部材は、前記スポーツタオルと前記人体の一部との間に、所定の空間を有するように設置され、前記スポーツタオルが硬化した状態で、前記ストッパー部材によって、前記所定の空間が維持されることを特徴としている。したがって、スポーツタオルが軟化している状態と、硬化している状態の双方において、所定の空間が維持されることによって、スポーツタオルによって人体の一部を締め付けることがなく、安全性に優れたストッパー付きスポーツタオルを提供することができる。
【０００７】
また、請求項２に記載の考案は、請求項１に記載の考案において、ストッパー部材は、弾性を備えた環状のストッパー部材であって、スポーツタオルの両端部を、前記環状のストッパー部材の環状内に挿入して使用することを特徴としている。したがって、コスト高とならない簡易な構成によって、安全性に優れたストッパー付きスポーツタオルを提供することができる。尚、弾性を備えた環状のストッパー部材の一例として、シリコン樹脂製のリングを使用することができる。
【０００８】
また、請求項３に記載の考案は、請求項２に記載の考案において、スポーツタオルとストッパー部材とは、紐状部材によって連結されていることを特徴としている。したがって、紐状部材によって、スポーツタオルとストッパー部材とが一体化されるので、ストッパー部材が紛失するのを防ぐことができる。
【０００９】
また、請求項４に記載の考案は、請求項１に記載の考案において、ストッパー部材は、変形自在な棒状のストッパー部材であって、該棒状のストッパー部材は、スポーツタオルの長手方向に沿って装着されることを特徴としている。したがって、コスト高とならない簡易な構成によって、安全性に優れたストッパー付きスポーツタオルを提供することができる。尚、変形自在な棒状のストッパー部材の一例として、樹脂等で被覆された針金を使用することができる。
【００１０】
また、請求項５に記載の考案は、請求項１〜４のいずれか１項に記載の考案において、スポーツタオルの両端部近傍に、面ファスナーを備えたことを特徴としている。したがって、ストッパー部材によって、スポーツタオルと人体の一部との間に、所定の空間を確保すると共に、面ファスナーによって、スポーツタオルの両端部近傍を連結することができる。
【００１１】
また、請求項６に記載の考案は、請求項１〜請求項５のいずれか１項に記載のストッパー付きスポーツタオルを収容するケースであって、前記スポーツタオルを収容する収容部と、開口部と、該開口部を塞ぐキャップ部とを有し、前記開口部に溝が形成され、該溝に嵌合する突起が前記キャップ部に形成されて、前記スポーツタオルに含まれる水分が蒸発することを防ぐことを特徴としている。したがって、あらかじめストッパー付きスポーツタオルを水で濡らしておき、収容ケースに入れておけば、収容ケースをスポーツバッグ等に入れて持ち運びすることができ、収容ケースから取り出すことによって、すぐにストッパー付きスポーツタオルを使用することができる。
【考案の効果】
【００１２】
請求項１に記載の考案により、安全性に優れたストッパー付きスポーツタオルを提供することができる。
【００１３】
請求項２に記載の考案により、コスト高とならない簡易な構成によって、安全性に優れたストッパー付きスポーツタオルを提供することができる。
【００１４】
請求項３に記載の考案により、ストッパー部材が紛失するのを防ぐことができる。
【００１５】
請求項４に記載の考案により、コスト高とならない簡易な構成によって、安全性に優れたストッパー付きスポーツタオルを提供することができる。
【００１６】
請求項５に記載の考案により、スポーツタオルの両端部近傍を連結することができる。
【００１７】
請求項６に記載の考案により、スポーツタオルに含まれる水分が蒸発することを防ぐことができると共に、ストッパー付きスポーツタオルを持ち運ぶことができる。
【図面の簡単な説明】
【００１８】
【図１】図１は、本考案の第１実施形態の使用状態を示す説明図である。
【図２】図２は、本考案の第１実施形態を示す平面図である。
【図３】図３は、本考案の第２実施形態を示す平面図である。
【図４】図４は、本考案の第３実施形態を示す平面図である。
【図５】図５は、本考案に係るストッパー付きスポーツタオルを収容する収容ケースを示す斜視図である。
【考案を実施するための形態】
【００１９】
以下に、図面を用いて本考案の実施形態を説明する。
【００２０】
図１は、本考案に係るストッパー付きスポーツタオルの第１実施形態の使用状態を示す説明図であり、図２は、ストッパー付きスポーツタオルの第１実施形態を示す平面図であり、（ａ）がスポーツタオル、（ｂ）がストッパー部材を示す。これらの図に示すように、ストッパー付きスポーツタオル１は、長尺なスポーツタオル２と、ストッパー部材３とから構成されている。
【００２１】
スポーツタオル２は、ポリビニルアルコール樹脂（ＰＶＡ）からなるものであって、長尺な形状を有するものである。一例として、幅１０ｃｍ、長さ６８ｃｍのものを挙げることができるが、本考案は、この寸法に限定されるものではない。そして、ＰＶＡからなるスポーツタオル２は水分を吸収すると軟化し、水分が蒸発すると硬化する機能を有している。
【００２２】
ストッパー部材３は、弾性を備えた環状を成すものであり、一例として、シリコン樹脂製のリングを挙げることができるが、本考案はこれに限定されるものではなく、弾性を備えた環状を成すものであれば、ゴム製であってもよいものである。また、ストッパー部材３の環状の空間部３ａの直径寸法の一例として、２．８ｃｍのものを挙げることができるが、本考案は、この寸法に限定されるものではない。
【００２３】
そして、使用状態の一例としては、図１に示すように、スポーツタオル２に水分を含ませた状態で人体の一部４（例えば首）に巻き付ける。次に、ストッパー部材３の空間部３ａを拡大させて、この空間部３ａにスポーツタオル２の両方の端部２ａ，２ｂを挿入し、人体の一部４と、スポーツタオル２との間に所定の空間５を有する状態でストッパー部材３から手を離して設置するのである。
【００２４】
この状態では、スポーツタオル２は水分を含んでいるため、軟化した状態であり、スポーツタオル２に接触している人体の一部４は、冷やされることとなり、水分は徐々に大気中に蒸発していく。そして、スポーツタオル２に含まれていた水分が蒸発して少なくなると、スポーツタオル２は硬化した状態となっていく。
【００２５】
上述したとおり、ストッパー部材３は、弾性を備えた環状を成すものであることから、空間部３ａに挿入されているスポーツタオル２に対して締め付け力が働き、スポーツタオル２が軟化した状態で形成された人体の一部４とスポーツタオル２との間の所定の空間５は、スポーツタオル２が硬化した状態でも維持されることとなる。
【００２６】
したがって、スポーツタオル２によって人体の一部４を締め付けることがなく、安全性に優れたストッパー付きスポーツタオル１となる。
【００２７】
図３は、本考案の第２実施形態を示す平面図である。第２実施形態で使用するスポーツタオル２とストッパー部材３は、上記第１実施形態で説明したものと同等のものであるので、説明は省略する。この第２実施形態のストッパー付きスポーツタオル１０では、スポーツタオル２とストッパー部材３とが紐状部材６によって連結されている。この紐状部材６の材質は特に限定するものではなく、ゴム製、シリコン樹脂製等、様々な材質のものを使用することができる。
【００２８】
第２実施形態に示すように、紐状部材６で、スポーツタオル２とストッパー部材３とを連結することにより、スポーツタオルとストッパー部材とが一体化されるので、ストッパー部材が紛失するのを防ぐことができる。
【００２９】
図４は、本考案の第３実施形態を示す平面図である。第３実施形態で使用するスポーツタオル２は、上記第１実施形態で説明したものと同等のものであるので、説明は省略する。この第３実施形態では、ストッパー部材として、変形自在な棒状のストッパー部材７を使用している。この棒状のストッパー部材７は、スポーツタオル２の長手方向に沿って装着されている。
【００３０】
第３実施形態では、変形自在な棒状のストッパー部材７を使用することによって、コスト高とならない簡易な構成となり、安全性に優れたストッパー付きスポーツタオル２０を提供することができる。尚、変形自在な棒状のストッパー部材７の一例として、樹脂等で被覆された針金を挙げることができるが、本考案は、これに限定されるものではない。
【００３１】
また、図４に示す第３実施形態では、スポーツタオル２の両端部近傍に、面ファスナー８ａ，８ｂを備えている。このように構成することによって、棒状のストッパー部材７によって、スポーツタオル２と人体の一部との間に、所定の空間を確保すると共に、面ファスナー８ａ，８ｂによって、スポーツタオル２の両端部近傍を連結することができる。尚、面ファスナー８ａ，８ｂの構成は、上述した第１実施形態及び第２実施形態においても適用することができる。
【００３２】
図５は、本考案に係るストッパー付きスポーツタオルを収容する収容ケースを示す斜視図である。ストッパー付きスポーツタオル収容ケース３０は、折り畳まれたスポーツタオル１（１０，２０）を収容する収容部９と、開口部１２と、この開口部１２を塞ぐキャップ部１１とを有するものである。そして、開口部１２には、溝１２ａが形成されており、この溝１２ａに嵌合する突起１１ａ，１１ｂが、キャップ部１１に形成されている。
【００３３】
ストッパー付きスポーツタオル収容ケース３０は、上述の構成となっているので、スポーツタオル２に含まれる水分が蒸発することを防ぐことができる。また、あらかじめストッパー付きスポーツタオル１（１０，２０）を水で濡らしておき、収容ケース３０に入れておけば、収容ケース３０をスポーツバッグ等に入れて持ち運びすることができ、収容ケース３０から取り出すことによって、すぐにストッパー付きスポーツタオル１（１０，２０）を使用することができる。
【産業上の利用可能性】
【００３４】
本考案のストッパー付きスポーツタオル及び収容ケースは、スポーツ観戦や、屋外でのレジャーにおいて、人体の一部を冷やすために利用される。
【符号の説明】
【００３５】
１，１０，２０  ストッパー付きスポーツタオル
２  スポーツタオル
２ａ，２ｂ  端部
３  ストッパー部材
３ａ  空間部
４  人体の一部
５  所定の空間
６  紐状部材
７  棒状のストッパー部材
８ａ，８ｂ  面ファスナー
９  収容部
１１  キャップ部
１１ａ，１１ｂ  突起
１２  開口部
１２ａ  溝
３０  ストッパー付きスポーツタオル収容ケース
【図１】
0003169428.tif 000003
【図２】
0003169428.tif 000004
【図３】
0003169428.tif 000005
【図４】
0003169428.tif 000006
【図５】
0003169428.tif 000007